【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
ビーム追跡器資源を用いて、少なくとも１つの追跡ビームを追跡する無線通信機器（ＷＣＤ）において、ビーム追跡器資源を管理する方法であって、少なくとも１つの追跡ビームの各々が少なくとも１つの追跡トランスポンダのそれぞれ１つから発しており、
（ａ）各追跡ビーム（ＴＢ）に対する追跡ビーム探索器エネルギーを決定することと、
（ｂ）各追跡トランスポンダからの少なくとも１つの各非追跡ビーム（ＵＢ）に対する非追跡探索器エネルギーを決定することと、
（ｃ）ステップ（ａ）および（ｂ）からのＴＢおよびＵＢ探索器エネルギーに基づき、少なくとも１つの非追跡ビームの中から追跡ビームになるべき好ましい非追跡ビームを決定する試行をすることと、
（ｄ）好ましい非追跡ビームを決定する試みが成功するときには、好ましい非追跡ビームを追跡するように追跡資源を割当てることとを含む方法。
【請求項２】
少なくとも１つの追跡トランスポンダが、少なくとも１つの追跡衛星または少なくとも１つの追跡基地局である請求項１に記載の方法。
【請求項３】
ステップ（ｃ）が、
（ｃ）（ｉ）各追跡トランスポンダに対する最大のＵＢ探索器エネルギーがそれぞれの探索器エネルギーしきい値を超えるかどうかを決定することと、
（ｃ）（ｉｉ）少なくとも１つの最大のＵＢ探索器エネルギーがそれらのそれぞれのエネルギーしきい値を超える場合には、
好ましい非追跡ビームとして、ステップ（ｃ）（ｉ）からの少なくとも１つの最大のＵＢ探索器エネルギーの中で最大のＵＢ探索器エネルギーを有する非追跡ビームを選択することとを含む請求項１に記載の方法。
【請求項４】
ステップ（ｃ）（ｉ）におけるそれぞれの探索器エネルギーしきい値の各々が、それぞれのＴＢ探索器エネルギーに基づいている請求項３に記載の方法。
【請求項５】
ＷＣＤが、第１および第２の追跡トランスポンダからのそれぞれの第１および第２の追跡ビームを追跡し、かつステップ（ｃ）（ｉ）が、
第１のトランスポンダに対する最大のＵＢ探索器エネルギーが、第１の追跡ビームに対する探索器エネルギーに基づく第１の探索器エネルギーしきい値を超えるかどうかを示す第１の条件を決定することと、
第２のトランスポンダに対する最大のＵＢ探索器エネルギーが、また第１の追跡ビームに対する探索器エネルギーに基づいている第２の探索器エネルギーしきい値を超えるかどうかを示す第２の条件を決定することとを含む請求項３に記載の方法。
【請求項６】
第１および第２の追跡トランスポンダが、それぞれ第１および第２の追跡衛星である請求項５に記載の方法。
【請求項７】
ステップ（ｃ）（ｉｉ）が、
第１と第２の条件双方が真の場合には、好ましい非追跡ビームとして、第１および第２のトランスポンダからの非追跡ビームの中で最大のＵＢ探索器エネルギーを有する非追跡ビームを選択することを含む請求項５に記載の方法。
【請求項８】
ステップ（ｃ）（ｉｉ）が、
第１の条件が真でかつ第２の条件が真でない場合には、好ましい非追跡ビームとして、第１のトランスポンダからの最大のＵＢエネルギーを有する非追跡ビームを選択することを含む請求項５に記載の方法。
【請求項９】
ステップ（ｃ）（ｉｉ）が、
第２の条件が真でかつ第１の条件が真でない場合には、好ましい非追跡ビームとして、第２のトランスポンダからの最大のＵＢエネルギーを有する非追跡ビームを選択することを含む請求項５に記載の方法。
【請求項１０】
ＷＣＤが、第１、第２および第３の追跡トランスポンダからのそれぞれの第１、第２および第３の追跡ビームを追跡し、かつステップ（ｃ）（ｉ）が、
第１の追跡トランスポンダに対する最大のＵＢ探索器エネルギーが、第１の追跡ビームに対する探索器エネルギーに基づく第１の探索器エネルギーしきい値を超えるかどうかを示す第１の条件を決定することと、
第２の追跡トランスポンダまたは第３の追跡トランスポンダに対する最大のＵＢ探索器エネルギーが、また第１の追跡ビームに対する探索器エネルギーに基づいている第２の探索器エネルギーしきい値を超えるかどうかを示す第２の条件を決定することと、
第２の追跡トランスポンダまたは第３の追跡トランスポンダに対する最大のＵＢ探索器エネルギーが、第２の追跡ビームに対する探索器エネルギーに基づく第３の探索器エネルギーしきい値を超えるかどうかを示す第３の条件を決定することとを含む請求項３に記載の方法。
【請求項１１】
第１、第２および第３の追跡トランスポンダが、それぞれ第１、第２および第３の追跡衛星である請求項１０に記載の方法。
【請求項１２】
ステップ（ｃ）（ｉｉ）が、
第１と第２の条件双方が真の場合には、好ましい非追跡ビームとして、第１および第２のトランスポンダからの非追跡ビームの中で最大のＵＢ探索器エネルギーを有する非追跡ビームを選択し、
第１の条件が真でかつ第２の条件が真でない場合には、好ましい非追跡ビームとして、第１のトランスポンダからの最大のＵＢエネルギーを有する非追跡ビームを選択し、
第２の条件が真でかつ第１の条件が真でない場合には、好ましい非追跡ビームとして、第２のトランスポンダまたは第３のトランスポンダからの最大のＵＢエネルギーを有する非追跡ビームを選択し、
第３の条件のみが真の場合には、好ましい非追跡ビームとして、第２のトランスポンダまたは第３のトランスポンダからの最大のＵＢエネルギーを有する非追跡ビームを選択することを含む請求項１０に記載の方法。
【請求項１３】
ステップ（ａ）が、少なくとも１つの追跡ビームの各々内の複数信号からのエネルギーを、その追跡ビームに対する探索器エネルギーを生成するために、積分することを含み、かつ、
ステップ（ｂ）が、少なくとも１つの非追跡ビームの各々内の複数信号からのエネルギーを、その非追跡ビームに対する探索器エネルギーを生成するために、積分することを含む請求項１に記載の方法。
【請求項１４】
ステップ（ｄ）が、好ましい非追跡ビームの決定の試行に成功した時は、追跡資源を追跡ビームの１つから好ましい非追跡ビームへ再割当することを含む請求項１に記載の方法。
【請求項１５】
（ｅ）非追跡トランスポンダからの候補ビームを探索することをさらに含む請求項１に記載の方法。
【請求項１６】
（ｆ）候補ビームがステップ（ｅ）で検出される場合には、
候補ビームの探索器エネルギーが好ましい非追跡ビームの探索器エネルギーを超えるとき、ステップ（ｄ）からの好ましい非追跡ビームの代わりに候補ビームを追跡することをさらに含む請求項１５に記載の方法。
【請求項１７】
（ｆ）ステップ（ｄ）と（ｅ）を同時に実行することをさらに含む請求項１５に記載の方法。
【請求項１８】
ステップ（ｅ）が、
候補ビームに対応する符号−周波数探索窓内のエネルギーを積分し、エネルギー推定値を生成することと、
エネルギー推定値が予め定めたビームエネルギーしきい値を超えるとき、候補ビームが検出された、と決定することとを含む請求項１５に記載の方法。
【請求項１９】
ステップ（ａ）および（ｂ）で決定される探索器エネルギーが、すべて非追跡エネルギーである請求項１に記載の方法。
【請求項２０】
各追跡ビームおよび各非追跡ビームが、少なくとも１つの符号分割多元接続（ＣＤＭＡ）信号を含む請求項１に記載の方法。
【請求項２１】
無線通信装置（ＷＣＤ）において、フィンガ資源を管理するための機器であって、ＷＣＤは少なくとも１つの追跡トランスポンダのそれぞれ１つから発する少なくとも１つのビームを追跡する複数のフィンガを含んでおり、
各追跡ビームに対する追跡ビーム（ＴＢ）探索器エネルギーを決定し、かつ、
各追跡トランスポンダからの少なくとも１つの非追跡ビーム（ＵＢ）の各々に対する非追跡ビーム探索器エネルギーを決定するように適合されたエネルギー推定器と、
エネルギー推定器からのＴＢおよびＵＢ探索器エネルギーに基づき、少なくとも１つの非追跡ビームの中で追跡ビームになるべき好ましい非追跡ビームの決定を試行するための手段と、
好ましい非追跡ビームを決定する試行が成功するとき、複数のフィンガの１つを好ましい非追跡ビームを追跡するように割当てるための手段とを含む機器。
【請求項２２】
少なくとも１つの追跡トランスポンダが、少なくとも１つの追跡衛星または少なくとも１つの追跡基地局である請求項２１に記載の機器。
【請求項２３】
試行手段が、
各追跡トランスポンダに対する最大のＵＢ探索器エネルギーがそれぞれの探索器エネルギーしきい値を超えるかどうかを決定するための条件決定手段と、
好ましい非追跡ビームとして、少なくとも１つの最大のＵＢ探索器エネルギーがそれらのそれぞれのエネルギーしきい値を超えているとき、少なくとも１つの最大のＵＢ探索器エネルギーの中で、最大のＵＢ探索器エネルギーを有する非追跡ビームを選択するための選択手段とを含む請求項２１に記載の機器。
【請求項２４】
条件決定手段に用いられるそれぞれの探索器エネルギーしきい値の各々が、それぞれのＴＢ探索器エネルギーに基づいている請求項２３に記載の機器。
【請求項２５】
第１および第２のフィンガが、それぞれの第１および第２の追跡トランスポンダからのそれぞれの第１および第２の追跡ビームを追跡し、かつ条件決定手段が、
第１のトランスポンダに対する最大のＵＢ探索器エネルギーが第１の追跡ビームに対する探索器エネルギーに基づく第１の探索器エネルギーしきい値を超えるかどうかを示す、第１の条件を決定するための第１の条件決定手段と、
第２のトランスポンダに対する最大のＵＢ探索器エネルギーが、また第１の追跡ビームに対する探索器エネルギーに基づいている第２の探索器エネルギーしきい値を超えるかどうかを示す、第２の条件を決定するための第２の条件決定手段とを含む請求項２３に記載の機器。
【請求項２６】
第１および第２の追跡トランスポンダが、それぞれ第１および第２の追跡衛星である請求項２５に記載の機器。
【請求項２７】
選択手段が、
第１と第２の条件双方が真の場合には、好ましい非追跡ビームとして、第１および第２のトランスポンダからの非追跡ビームの中で最大のＵＢ探索器エネルギーを有する非追跡ビームを選択するための手段を含む請求項２５に記載の機器。
【請求項２８】
選択手段が、
第１の条件が真でかつ第２の条件が真でない場合には、好ましい非追跡ビームとして、第１のトランスポンダからの最大のＵＢエネルギーを有する非追跡ビームを選択するための手段を含む請求項２５に記載の機器。
【請求項２９】
選択手段が、
第２の条件が真でかつ第１の条件が真でない場合には、好ましい非追跡ビームとして、第２のトランスポンダからの最大のＵＢエネルギーを有する非追跡ビームを選択するための手段を含む請求項２５に記載の機器。
【請求項３０】
第１、第２および第３のフィンガが、それぞれの第１、第２および第３の追跡トランスポンダからのそれぞれの第１、第２および第３の追跡ビームを追跡し、かつ条件決定手段が、
第１の追跡トランスポンダに対する最大のＵＢ探索器エネルギーが、第１の追跡ビームに対する探索器エネルギーに基づく第１の探索器エネルギーしきい値を超えるかどうかを示す第１の条件を決定するための第１の条件決定手段と、
第２の追跡トランスポンダまたは第３の追跡トランスポンダに対する最大のＵＢ探索器エネルギーが、また第１の追跡ビームに対する探索器エネルギーに基づいている第２の探索器エネルギーしきい値を超えるかどうかを示す第２の条件を決定するための第２の条件決定手段と、
第２の追跡トランスポンダまたは第３の追跡トランスポンダに対する最大のＵＢ探索器エネルギーが、第２の追跡ビームに対する探索器エネルギーに基づく第３の探索器エネルギーしきい値を超えるかどうかを示す第３の条件を決定するための第３の条件決定手段とを含む請求項２３に記載の機器。
【請求項３１】
第１，第２および第３の追跡トランスポンダが、それぞれ第１，第２および第３の追跡衛星である請求項３０に記載の機器。
【請求項３２】
選択手段が、
第１と第２の条件双方が真の場合には、好ましい非追跡ビームとして、第１および第２のトランスポンダからの非追跡ビームの中で最大のＵＢ探索器エネルギーを有する非追跡ビームを選択するための第１の選択手段と、
第１の条件が真でかつ第２の条件が真でない場合には、好ましい非追跡ビームとして、第１のトランスポンダからの最大のＵＢエネルギーを有する非追跡ビームを選択するための第２の選択手段と、
第２の条件が真でかつ第１の条件が真でない場合には、好ましい非追跡ビームとして、第２のトランスポンダまたは第３のトランスポンダからの最大のＵＢエネルギーを有する非追跡ビームを選択するための第３の手段と、
第３の条件のみが真である場合には、好ましい非追跡ビームとして、第２のトランスポンダまたは第３のトランスポンダからの最大のＵＢエネルギーを有する非追跡ビームを選択するための第４の手段とを含む請求項３０に記載の機器。
【請求項３３】
エネルギー推定器が、相関器およびそれに続く累算器を含み、相関器および累算器は、
少なくとも１つの追跡ビームの各々内の複数信号からのエネルギーを積分してその追跡ビームに対する探索器エネルギーを生成し、かつ
少なくとも１つの非追跡ビームの各々内の複数信号からのエネルギーを積分してその非追跡ビームに対する探索器エネルギーを生成するように一緒に動作するように適合されている請求項２１に記載の機器。
【請求項３４】
割当手段は、試行手段が好ましい非追跡ビームを決定したときに、フィンガを追跡ビームの１つから好ましい非追跡ビームへ再割当てするための再割当手段を含む請求項２１に記載の機器。
【請求項３５】
エネルギー推定器を含んでおり、非追跡トランスポンダからの候補ビームを探索するための探索手段をさらに含む請求項２１に記載の機器。
【請求項３６】
割当手段は、探索手段が非追跡トランスポンダからの候補ビームを検出したときには、非追跡トランスポンダからの候補ビームを追跡するように複数のフィンガの１つを割当てるための手段を含む請求項３５に記載の機器。
【請求項３７】
割当手段は、非追跡トランスポンダからの候補ビームの探索器エネルギーが好ましい非追跡ビームの探索器エネルギーを超える場合、複数フィンガの１つを、試行手段によって決定された好ましい非追跡ビームから探索手段によって検出された非追跡トランスポンダからの候補ビームへ、再割当するための手段をさらに含む請求項３６に記載の機器。
【請求項３８】
試行手段と探索手段が、それらのそれぞれの機能を同時に実行する請求項３５に記載の機器。
【請求項３９】
探索手段が、
非追跡トランスポンダからの候補ビームに対応する符号−周波数探索窓内のエネルギーを積分し、エネルギー推定値を生成するように適合された、エネルギー推定器と、
エネルギー推定値が予め定めたビームエネルギーしきい値を超えるとき、非追跡トランスポンダからの候補ビームが検出された、と決定するための手段とを含む請求項３５に記載の機器。
【請求項４０】
各追跡ビームおよび各非追跡ビームが、少なくとも１つの符号分割多元接続（ＣＤＭＡ）信号を含む請求項２１に記載の機器。